(57)【要約】【課題】選択可能な採光遮光機能を有しつつ、防犯性を維持することができるドアおよび採光ユニットを提供する。【解決手段】貫通孔を有し貫通孔を通して光を透過させ得る採光部材２３と、採光部材２３の貫通孔を塞ぐ遮蔽手段３０と、を備えており、遮蔽手段３０は、貫通孔を塞ぐ遮蔽位置と貫通孔を開放する採光位置との間で移動可能に設けられた遮蔽部材３１と、遮蔽部材３１を遮蔽位置と採光位置との間で移動させる遮蔽部材移動機構と、を備えている。遮蔽部材移動機構によって遮蔽部材３１を移動させれば、採光部材２３を通して貫通孔から採光することができるし、貫通孔から光が通過しないようにすることができる。遮蔽部材３１を遮蔽位置に配置すれば、人の手などが貫通孔を通過することを防ぐことができる。したがって、採光ユニット１０をドア１の採光部として採用すれば、ドア１に採光部を設けても、光漏れや防犯性能の低下を防ぐことができる。【選択図】図１
2015113653.tif 000002
【特許請求の範囲】
【請求項１】
貫通孔を有し該貫通孔を通して光を透過させ得る採光部材と、
前記採光部材の貫通孔を塞ぐ遮蔽手段と、を備えており、
該遮蔽手段は、
前記貫通孔を塞ぐ遮蔽位置と前記貫通孔を開放する採光位置との間で移動可能に設けられた遮蔽部材と、
該遮蔽部材を前記遮蔽位置と前記採光位置との間で移動させる遮蔽部材移動機構と、を備えている
ことを特徴とする採光ユニット。
【請求項２】
前記遮蔽部材移動機構は、
前記遮蔽部材を、前記採光部材の表面に沿って移動させて、前記遮蔽位置と前記採光位置との間を移動させるものである
ことを特徴とする請求項１記載の採光ユニット。
【請求項３】
前記採光部材には、
複数のスリットが形成されており、
前記遮蔽部材には、
前記採光部材の複数のスリットに対応するスリットが設けられている
ことを特徴とする請求項２記載の採光ユニット。
【請求項４】
前記遮蔽部材移動機構は、
火災を検出すると前記遮蔽部材を前記遮蔽位置に向かって移動させる機能を備えている
ことを特徴とする請求項１、２または３記載の採光ユニット。
【請求項５】
前記遮蔽部材移動機構は、
前記遮蔽部材を前記採光位置に保持する保持部材を備えており、
該保持部材は、
前記遮蔽部材が前記採光位置に配置されると、該遮蔽部材に対し該採光位置から前記遮蔽位置に移動させようとする力が加わる状態で前記遮蔽部材を前記採光位置に保持する保持機能と、
火災を検出すると前記遮蔽部材を解放する解放機能と、を有している
ことを特徴とする請求項４記載の採光ユニット。
【請求項６】
前記保持部材は、
その全体または一部が温度ヒューズ機能を有する部材によって形成されている
ことを特徴とする請求項５記載の採光ユニット。
【請求項７】
採光部を備えたドアであって、
該ドアは、
該ドアを厚さ方向に沿って貫通する連通孔を有し、該連通孔を通して該ドアの厚さ方向に沿って光を透過させ得る採光部と、
前記連通孔を塞ぐ遮蔽手段と、を備えており、
該遮蔽手段は、
前記連通孔を塞ぐ遮蔽位置と前記連通孔を開放する採光位置との間で移動可能に設けられた遮蔽部材と、
該遮蔽部材を、前記遮蔽位置と前記採光位置との間で移動させる遮蔽部材移動機構と、を備えている
ことを特徴とするドア。
【請求項８】
前記採光部は、
前記連通孔の開口を覆うように配設された採光部材を備えており、
前記採光部材には、
貫通孔が形成されており、
前記遮蔽部材移動機構は、
前記遮蔽部材を、前記採光部材の表面に沿って移動させて、前記貫通孔を塞ぐ前記遮蔽位置と前記採光位置との間を移動させるものである
ことを特徴とする請求項７記載のドア。
【請求項９】
前記採光部材には、
複数のスリットが形成されており、
前記遮蔽部材には、
前記採光部材の複数のスリットに対応するスリットが設けられている
ことを特徴とする請求項８記載のドア。
【請求項１０】
前記遮蔽部材移動機構は、
火災を検出すると前記遮蔽部材を前記遮蔽位置に向かって移動させる機能を備えている
ことを特徴とする請求項７、８または９記載のドア。
【請求項１１】
前記遮蔽部材移動機構は、
前記遮蔽部材を前記採光位置に保持する保持部材を備えており、
該保持部材は、
前記遮蔽部材が前記採光位置に配置されると、該遮蔽部材に対し該採光位置から前記遮蔽位置に移動させようとする力が加わる状態で前記遮蔽部材を前記採光位置に保持する保持機能と、
火災を検出すると前記遮蔽部材を解放する解放機能と、を有している
ことを特徴とする請求項１０記載のドア。
【請求項１２】
前記保持部材は、
その全体または一部が温度ヒューズ機能を有する部材によって形成されている
ことを特徴とする請求項１１記載のドア。
【請求項１３】
前記採光部が、
請求項１乃至６のいずれかに記載の採光ユニットである
ことを特徴とする請求項７乃至１２のいずれかに記載のドア。
【請求項１４】
前記遮蔽部材は、
前記採光位置に配置されると、前記ドア内部に収容されるように設けられている
ことを特徴とする請求項７乃至１２のいずれかに記載のドア。
【請求項１５】
前記遮蔽部材移動機構は、
前記遮蔽部材を前記ドアの内面に沿って移動させて、前記連通孔の開口を塞ぐ前記遮蔽位置と前記採光位置との間を移動させるものである
ことを特徴とする請求項１４記載のドア。
【発明の詳細な説明】
【技術分野】
【０００１】
本発明は、ドアおよび採光ユニットに関する。さらに詳しくは、室内に光を取り入れるための採光機能を備えた居住用建物等の室内と室外とを連通する入口に設置されるドア、および、かかるドアやパネル、壁などに採光のために取り付けられる採光ユニットに関する。
【背景技術】
【０００２】
玄関などのドアは、室外と室内を連通する開口を塞ぐために設けられており、室外と室内との間を分離する機能が要求される。例えば、室内を室外から見えないようにする機能（目隠し機能）や室外から室内へのアクセスを制限する機能（防犯機能）等が要求される。このため、ドアには、光を透過せず簡単には壊されたりしない素材、例えば、鉄やステンレスなどの金属板などが使用されている。
【０００３】
しかし、上述した機能のうち、ドアが目隠し機能を満たしている場合には、光が外部から入ってこない。このため、ドアを設けた玄関などは暗くなるので、人感センサーを備えた照明などの人工光によって明るさを補っている。
【０００４】
ドアを通して玄関などに光を取り込むことができれば、日中であれば、照明を点灯しなくても人が活動できる程度の明るさに保つことができる。例えば、光を透過するガラス等の部材で形成された窓（採光部）をドアに形成すれば、採光部を通して玄関などに光を取り込むことができる。
【０００５】
一方、採光部を設けた場合、採光部を一般的なガラスで形成すれば、光を取り込むことはできるものの、採光部から室内が見えてしまうので、プライバシーが守られないという問題が生じる。磨りガラスなどにすれば、室内が明確には見えないようにすることはできるものの、室内に人がいるかいないか、また、室内の人等の動きなどは把握できる。
【０００６】
かかる問題への対策として、特許文献１には、採光を可能としつつ、室内空間を遮蔽するパネルに関する技術が開示されている。
【０００７】
この文献には、透光部及び遮蔽部を有する遮蔽層を室内外方向に複数有するパネルであって、各遮蔽層の遮蔽部の配列により、パネルの一表面側を臨んだときに、各遮蔽部からなる連続した遮蔽面が形成されるように遮蔽層が配設されたものが開示されている。
そして、特許文献１には、上記構造としたことによって、室内空間を遮蔽することができる（つまり遮蔽面によって内部が見えない）とともに、室内空間への採光を行うことが可能となり、遮蔽と採光の両立を図ることができる旨の記載がある。
【先行技術文献】
【特許文献】
【０００８】
【特許文献１】特開２００９−１９７５２１号公報
【発明の概要】
【発明が解決しようとする課題】
【０００９】
しかるに、特許文献１のパネルでは、単に、透光部及び遮蔽部を有する遮蔽層を複数並べているだけであり、室外から室内への採光ができるのと同様に、室内から室外にも光は透過する。すると、夜間などでは、日中とは逆に、室内の光が外部に漏れる状態（光漏れ）となる。このため、特許文献１のパネルを住居用の玄関ドアなどに採用した場合、室外から室内を直接見ることはできないものの、夜間には、室内に人がいるのかいないのかなどを漏れる光によって室外から認識できる状態になる。すると、光漏れの有無から留守宅などを把握できるので防犯上好ましくないし、逆に、在宅であることを把握されることも好ましくない場合がある。
【００１０】
しかし、特許文献１のパネルは、光漏れを防ぐ機能は有していないので、採光しない状態にしたり光漏れを防いだりするには、別途カーテンなどを設けて遮光しなければならない。
【００１１】
また、特許文献１のパネルでは、各遮蔽層は、ガラスなどの透明板に印刷などの手法によって遮蔽部を形成しているので、遮蔽層は簡単に壊すことができる。遮蔽層を壊せば、室内と室外とを簡単に連通した状態にできるので、室内に手などを入れることができるようになる。つまり、ドアを解錠することが可能となるので、特許文献１のパネルを玄関ドアなどに使用した場合、ドアの防犯性能が低下してしまう。
【００１２】
本発明は上記事情に鑑み、選択可能な採光遮光機能を有しつつ、防犯性を維持することができるドアおよび採光ユニットを提供することを目的とする。
【課題を解決するための手段】
【００１３】
（採光ユニット）
第１発明の採光ユニットは、貫通孔を有し該貫通孔を通して光を透過させ得る採光部材と、前記採光部材の貫通孔を塞ぐ遮蔽手段と、を備えており、該遮蔽手段は、前記貫通孔を塞ぐ遮蔽位置と前記貫通孔を開放する採光位置との間で移動可能に設けられた遮蔽部材と、該遮蔽部材を前記遮蔽位置と前記採光位置との間で移動させる遮蔽部材移動機構と、を備えていることを特徴とする。
第２発明の採光ユニットは、第１発明において、前記遮蔽部材移動機構は、前記遮蔽部材を、前記採光部材の表面に沿って移動させて、前記遮蔽位置と前記採光位置との間を移動させるものであることを特徴とする。
第３発明の採光ユニットは、第２発明において、前記採光部材には、複数のスリットが形成されており、前記遮蔽部材には、前記採光部材の複数のスリットに対応するスリットが設けられていることを特徴とする。
第４発明の採光ユニットは、第１、第２または第３発明において、前記遮蔽部材移動機構は、火災を検出すると前記遮蔽部材を前記遮蔽位置に向かって移動させる機能を備えていることを特徴とする。
第５発明の採光ユニットは、第４発明において、前記遮蔽部材移動機構は、前記遮蔽部材を前記採光位置に保持する保持部材を備えており、該保持部材は、前記遮蔽部材が前記採光位置に配置されると、該遮蔽部材に対し該採光位置から前記遮蔽位置に移動させようとする力が加わる状態で前記遮蔽部材を前記採光位置に保持する保持機能と、火災を検出すると前記遮蔽部材を解放する解放機能と、を有していることを特徴とする。
第６発明の採光ユニットは、第５発明において、前記保持部材は、その全体または一部が温度ヒューズ機能を有する部材によって形成されていることを特徴とする。
（ドア）
第７発明のドアは、採光部を備えたドアであって、該ドアは、該ドアを厚さ方向に沿って貫通する連通孔を有し、該連通孔を通して該ドアの厚さ方向に沿って光を透過させ得る採光部と、前記連通孔を塞ぐ遮蔽手段と、を備えており、該遮蔽手段は、前記連通孔を塞ぐ遮蔽位置と前記連通孔を開放する採光位置との間で移動可能に設けられた遮蔽部材と、該遮蔽部材を、前記遮蔽位置と前記採光位置との間で移動させる遮蔽部材移動機構と、を備えていることを特徴とする。
第８発明のドアは、第７発明において、前記採光部は、前記連通孔の開口を覆うように配設された採光部材を備えており、前記採光部材には、貫通孔が形成されており、前記遮蔽部材移動機構は、前記遮蔽部材を、前記採光部材の表面に沿って移動させて、前記貫通孔を塞ぐ前記遮蔽位置と前記採光位置との間を移動させるものであることを特徴とする。
第９発明のドアは、第８発明において、前記採光部材には、複数のスリットが形成されており、前記遮蔽部材には、前記採光部材の複数のスリットに対応するスリットが設けられていることを特徴とする。
第１０発明のドアは、第７、第８または第９発明において、前記遮蔽部材移動機構は、火災を検出すると前記遮蔽部材を前記遮蔽位置に向かって移動させる機能を備えていることを特徴とする。
第１１発明のドアは、第１０発明において、前記遮蔽部材移動機構は、前記遮蔽部材を前記採光位置に保持する保持部材を備えており、該保持部材は、前記遮蔽部材が前記採光位置に配置されると、該遮蔽部材に対し該採光位置から前記遮蔽位置に移動させようとする力が加わる状態で前記遮蔽部材を前記採光位置に保持する保持機能と、火災を検出すると前記遮蔽部材を解放する解放機能と、を有していることを特徴とする。
第１２発明のドアは、第１１発明において、前記保持部材は、その全体または一部が温度ヒューズ機能を有する部材によって形成されていることを特徴とする。
第１３発明のドアは、第７乃至第１２発明のいずれかにおいて、前記採光部が、第１乃至第６発明のいずれかに記載の採光ユニットであることを特徴とする。
第１４発明のドアは、第７乃至第１２発明のいずれかにおいて、前記遮蔽部材は、
前記採光位置に配置されると、前記ドア内部に収容されるように設けられている
ことを特徴とする。
第１５発明のドアは、第１４発明において、前記遮蔽部材移動機構は、前記遮蔽部材を前記ドアの内面に沿って移動させて、前記連通孔の開口を塞ぐ前記遮蔽位置と前記採光位置との間を移動させるものであることを特徴とする。
【００１４】
（採光ユニット）
第１発明によれば、遮蔽部材移動機構によって遮蔽部材を移動させて、遮蔽部材を採光位置に配置すれば、採光部材を通して貫通孔から採光することができる。逆に、遮蔽部材移動機構によって遮蔽部材を移動させて、遮蔽部材を遮蔽位置に配置すれば、貫通孔から光が通過しないようにすることができる。しかも、遮蔽部材によって物理的に貫通孔を塞ぐことができるので、遮蔽部材を遮蔽位置に配置すれば、人の手などが貫通孔を通過することを防ぐことができる。したがって、ドアの採光部として採用すれば、ドアに採光部を設けても、光漏れや防犯性能の低下を防ぐことができる。
第２発明によれば、遮蔽部材を採光部材の表面に沿って移動させるので、遮蔽部材が遮蔽位置に配置された状態における遮光性および防犯性を高くすることができる。
第３発明によれば、遮蔽部材が遮蔽位置に配置された状態における遮光性および防犯性を高く維持しやすくなる。
第４発明によれば、火災になると、遮蔽部材は遮蔽位置に移動されるので、遮蔽部材を採光位置に配置した状態でも、火災になると遮蔽部材によって貫通孔を塞ぐことができる。
第５発明によれば、遮蔽部材を採光位置に配置した状態では、遮蔽部材は、遮蔽位置に移動させようとする力が加わった状態で保持部材に保持される。そして、保持部材は、火災を検出すると、遮蔽部材を解放する解放機能を有している。このため、火災になると、保持部材から遮蔽部材は解放され、遮蔽部材は遮蔽位置に移動される。したがって、遮蔽部材を採光位置に配置した状態でも、火災になると遮蔽部材によって貫通孔を塞ぐことができる。
第６発明によれば、火災などによって保持部材の温度が所定の温度以上となると、保持部材が変形したり溶けたりするので、遮蔽部材は保持部材から解放される。したがって、採光位置に配置した状態でも、火災になった際には、遮蔽部材によって貫通孔を自動で塞ぐことができる。保持部材の全体または一部を、温度ヒューズ機能を有する部材で形成するだけでよいので、保持部材の構造が複雑になることを防ぐことができる。
（ドア）
第７発明によれば、遮蔽部材移動機構によって遮蔽部材を移動させて、遮蔽部材を採光位置に配置すれば、採光部を通して連通孔から採光することができる。逆に、遮蔽部材移動機構によって遮蔽部材を移動させて、遮蔽部材を遮蔽位置に配置すれば、連通孔から光が通過しないようにすることができる。したがって、採光部を設けても、ドアの光漏れや防犯性能の低下を防ぐことができる。
第８発明によれば、遮蔽部材を採光部材の表面に沿って移動させるので、遮蔽部材が遮蔽位置に配置された状態における遮光性および防犯性を高くすることができる。
第９発明によれば、遮蔽部材が遮蔽位置に配置された状態における遮光性および防犯性を高く維持しやすくなる。
第１０発明によれば、火災になると、遮蔽部材は遮蔽位置に移動されるので、遮蔽部材を採光位置に配置した状態でも、火災になると遮蔽部材によって連通孔および／または貫通孔を塞ぐことができる。
第１１発明によれば、遮蔽部材を採光位置に配置した状態では、遮蔽部材は、採光位置から遮蔽位置に移動させようとする力が加わった状態で保持部材に保持される。そして、保持部材は、火災を検出すると、遮蔽部材を解放する解放機能を有している。このため、火災になると、保持部材から遮蔽部材は解放され、遮蔽部材は遮蔽位置に移動される。したがって、遮蔽部材を採光位置に配置した状態でも、火災になると遮蔽部材によって連通孔および／または貫通孔を塞ぐことができる。
第１２発明によれば、火災などによって保持部材の温度が所定の温度以上となると、保持部材が変形したり溶けたりするので、遮蔽部材は保持部材から解放される。したがって、遮蔽部材を採光位置に配置した状態でも、火災になった際には、遮蔽部材によって連通孔および／または貫通孔を自動で塞ぐことができる。保持部材の全体または一部を、温度ヒューズ機能を有する部材で形成するだけでよいので、保持部材の構造が複雑になることを防ぐことができる。
第１３発明によれば、採光部の設置が容易になるし、ドアには連通孔だけを設ければよくなるので、ドアの構造を簡素化できる。
第１４発明によれば、遮蔽部材を採光位置に配置した状態では、外部から遮蔽部材が見えない状態とすることができるので、遮蔽部材を設けてもドアの外観が悪くなることを防ぐことができる。
第１５発明によれば、遮蔽部材をドアの内面に沿って移動させるので、遮蔽部材が遮蔽位置に配置された状態における遮光性および防犯性を高くすることができる。
【図面の簡単な説明】
【００１５】
【図１】本実施形態のドア１を備えたドアユニットＤＵの概略説明図であって、（Ａ）は室外側から見た状態の図であり、（Ｂ）は室内側から見た状態の図である。
【図２】本実施形態のドア１を備えたドアユニットＤＵを設けた玄関の概略説明図であり、（Ａ）は室外側から見た状態の図であり、（Ｂ）は室内側から見た状態の図である。
【図３】本実施形態のドア１において、採光ユニット１０を設けた部分の概略拡大説明図であり、（Ａ）は（Ｂ）のＡ−Ａ線断面図であり、（Ｂ）は室内側から見た状態の図である。
【図４】採光ユニット１０の概略分解図である。
【図５】採光ユニット１０における採光部材２３と遮蔽手段３０の単体正面図であり、（Ａ）は遮蔽部材３１を採光位置に配置した状態であり、（Ｂ）は遮蔽部材３１を遮蔽位置に配置した状態である。
【図６】（Ａ）は図５のＡ−Ａ線断面図であり、（Ｂ）は図５のＢ−Ｂ線断面図である。
【図７】プレート１１ｂおよびプレート１１ｂに設けられている光透過部材１２を除いた採光ユニット１０の単体斜視図であり、（Ａ）は遮蔽部材３１を採光位置に配置した状態であり、（Ｂ）は遮蔽部材３１を遮蔽位置に配置した状態である。
【図８】プレート１１ｂおよびプレート１１ｂに設けられている光透過部材１２を除いた採光ユニット１０の単体斜視図であり、温度ヒューズ機能が作動した状態の概略説明図である。
【図９】他の実施形態のドア１の概略説明図であり、（Ａ）は遮蔽部材５１を採光位置に配置した状態の説明図であり、（Ｂ）は（Ａ）の概略断面図であり、（Ｃ）は遮蔽部材５１を遮蔽位置に配置した状態の説明図であり、（Ｄ）は（Ｃ）の概略断面図である。
【図１０】他の実施形態のドア１の概略説明図であり、（Ａ）は遮蔽部材５１を採光位置に配置した状態の説明図であり、（Ｂ）は遮蔽部材５１を遮蔽位置に配置した状態の説明図であり、（Ｃ）は（Ａ）の概略断面図であり、（Ｄ）は（Ｂ）の概略断面図である。
【発明を実施するための形態】
【００１６】
つぎに、本発明の実施形態を図面に基づき説明する。
本発明のドアは、居住用建物の室内と室外とを連通する入口に取り付けられるドアであって、室内などに外部光を導入する採光部を設けても、光漏れや防犯性能の低下を抑制することができるようにしたことに特徴を有している。
【００１７】
本発明のドアが設置される居住用建物はとくに限定されないが、例えば、マンション等の集合住宅における各住戸の玄関等のように、室外（屋外）と室内とを分離するドアに適している。もちろん、マンションの各住戸の部屋同士や部屋と廊下を仕切るドアとしても採用することができる。
【００１８】
以下では、マンションの住戸の玄関ドアに使用した場合を代表として説明する。
【００１９】
（ドアユニットＤＵ）
まず、本実施形態のドア１を説明する前に、本実施形態のドア１を採用したドアユニットＤＵを簡単に説明する。
【００２０】
図２において、符号ＥＷは住戸の玄関出入口のドアユニットを取付けるための開口部を有する玄関側壁を示しており、符号Ｆは共用廊下を示している。
【００２１】
図２に示すように、ドアユニットＤＵは、玄関側壁ＥＷに形成されている開口に取り付けられるものであり、ドア１と、このドア１が取り付けられる戸枠ＤＦと、を備えている。
【００２２】
図１に示すように、戸枠ＤＦは、一対の竪枠Ｄａ、Ｄｂと、この竪枠Ｄａ、Ｄｂの下端間および上端間をそれぞれ繋ぐように設けられた下枠Ｄｃと上枠Ｄｄとから構成されている。そして、戸枠ＤＦは、一対の竪枠Ｄａ、Ｄｂと下枠Ｄｃ、上枠Ｄｄに囲まれた、正面視略長方形の開口を有している。
【００２３】
図１および図２に示すように、戸枠ＤＦにはドア１が取り付けられている。このドア１は、戸枠ＤＦの開口と略相似形であって、ドア１を閉じた状態において、戸枠ＤＦの開口を塞ぐことができる大きさに形成されている。
【００２４】
このドア１は、連結手段によって、戸枠ＤＦに揺動可能に連結されている。具体的には、ドア１は、その戸尻（図１（Ａ）では右側の端部）を支点として、戸先（図１（Ａ）では左側の端部）が水平に揺動できるように、連結手段によって、戸枠ＤＦに連結されている。
【００２５】
ドアユニットＤＵは以上のごとき構成を有しているので、戸尻を支点としてドア１を揺動させれば、ドア１によってドアユニットＤＵの開口を開閉することができるのである。
【００２６】
（ドア１）
つぎに、本実施形態のドア１について説明する。
なお、本実施形態のドア１の構造は以下で説明する構造に限られず、種々の構造を採用することができる。
【００２７】
図３に示すように、本実施形態のドア１は、一対の表面板１ａ，１ｂを有しており、この一対の表面板１ａ，１ｂ間に断熱材や遮音材などの内部部材１ｃを挟んで形成されている。このため、ドア１単体で、ある程度の断熱性および遮音性を有している。
【００２８】
一方、本実施形態のドア１には、その表裏を貫通する連通孔１ｈが形成されており、この連通孔１ｈに採光ユニット１０が取り付けられている（図３参照）。この採光ユニット１０は、ドア１を閉じた状態でも外部光（例えば、図２であれば共用廊下Ｆ側からの光）を玄関内側などに供給できる機能を有している。つまり、本実施形態のドア１は採光ユニット１０を設けているので、日中であれば、ドア１を閉じた状態において照明を使用しなくても玄関内側などを明るくすることができるのである。
【００２９】
（採光ユニット１０）
上述したように、本実施形態のドア１に取り付けられる採光ユニット１０は、ドア１に設けられた連通孔１ｈに配設されるものであり、ドア１を通した採光を可能とするものである。
【００３０】
図４および図５に示すように、採光ユニット１０は、表面カバー１１と、採光部材２３と、遮蔽手段３０と、を備えており、遮蔽手段３０によって、光を透過させる状態（採光状態）と光を遮断する状態（遮蔽状態）とを切り替えることができるようになっている。
以下、採光ユニット１０について、詳細に説明する。
【００３１】
なお、以下の説明では、採光ユニット１０をドア１に取り付けたときに、後述する表面カバー１１の一対のプレート１１ａ，１１ｂのうち、プレート１１ａが室内側に位置する場合を説明する。しかし、ドア１を設ける場所によっては、プレート１１ｂが室内側に位置するように採光ユニット１０をドア１に取り付けてもよい。
【００３２】
（表面カバー１１）
図３および図４において、符号１１は採光ユニット１０の表面カバーを示している。この表面カバー１１は、一対のプレート１１ａ，１１ｂと、この一対のプレート１１ａ，１１ｂ間を連結する連結部材１１ｃと、を備えている。
【００３３】
一対のプレート１１ａ，１１ｂは、ドア１の一対の表面板１ａ，１ｂに形成された連通孔１ｈの開口に配置される。
図３および図４に示すように、この一対のプレート１１ａ，１１ｂには、その中央部に表裏を貫通する開口１１ｈがそれぞれ形成されている。各開口１１ｈは、連結部材１１ｃによって一対のプレート１１ａ，１１ｂを連結した際に、互いに対向する位置に設けられている。例えば、一対のプレート１１ａ，１１ｂの開口１１ｈが同一形状に形成されている場合には、表面カバー１１を一対のプレート１１ａ，１１ｂの法線方向から見たときに開口１１ｈ同士がほぼ一致して重なるように、開口１１ｈは形成される。つまり、表面カバー１１を一対のプレート１１ａ，１１ｂの法線方向から見たときに、表面カバー１１に、あたかも一対のプレート１１ａ，１１ｂ間を貫通する貫通孔（仮想貫通孔）が存在しているように見えるように、開口１１ｈは形成される。
【００３４】
図３および図４に示すように、表面カバー１１の一対のプレート１１ａ，１１ｂには、各開口１１ｈを覆うように、光透過部材１２が設けられている。この光透過部材１２は、開口１１ｈと略相似形かつ開口１１ｈよりも若干大きく形成されている。そして、光透過部材１２は、パッキン１２ｐなどを間に挟んで、両者間が気密および／または水密に保たれるように、各プレート１１ａ，１１ｂの内側に取り付けられている。
【００３５】
なお、光透過部材１２は、光を透過する機能を有するものであればよく、種々の部材を使用することができる。例えば、板ガラスや板状の樹脂、パンチングプレート、障子紙などの紙、突き板等を使用できる。また、プレート１１ａの開口１１ｈには光透過部材１２を設けなくてもよい。しかし、プレート１１ｂが屋外（室外）に面する場合（例えばドアが玄関ドアの場合等）には、屋外（室外）と室内との間の気密性および／または水密性などを維持するために、板ガラスや板状の樹脂等の素材で形成された光透過部材１２を使用することが望ましい。
【００３６】
（採光部材２３）
図３および図４において、符号２３が採光部材を示している。この採光部材２３は、一面（図３（Ａ）および図４では右側の面）に開口２３ｈを有する箱型に形成された部材であり、表面カバー１１の一対のプレート１１ａ，１１ｂ間に位置するように、連通孔１ｈの開口に取り付けられている。この採光部材２３は、その開口２３ｈの周囲にフランジ２３ｆが設けられている。そして、フランジ２３ｆをネジやビスなどによって表面板１ａに固定することによって、採光部材２３は連通孔１ｈの開口を覆うように取り付けられている。
なお、表面カバー１１は、そのプレート１１ａに設けられた光透過部材１２が開口２３ｈ内に位置するように表面板１ａに取り付けられる（図６参照）。
【００３７】
この採光部材２３の底壁２３ｂには、複数のスリット２３ｓが形成されている。この複数のスリット２３ｓは、採光部材２３の長手方向、つまり、開口２３ｈの長手方向（図３〜図５における上下方向、以下、上下方向という）に沿って並ぶように設けられている。そして、複数のスリット２３ｓは、底壁２３ｂにおいて一対のプレート１１ａ，１１ｂの開口１１ｈと対向する位置に設けられている。このため、採光部材２３を設けても、プレート１１ｂを透過した光を、採光部材２３の複数のスリット２３ｓ、プレート１１ａを通して、室内に供給することができるのである。
【００３８】
なお、採光部材２３は、ドア１の連通孔１ｈを覆ってカバーできる構造であればよく、上述した形状に限定されない。例えば、複数のスリット２３ｓが設けられた板材を採光部材２３として使用してもよい。
【００３９】
上記採光部材２３の底壁２３ｂに形成されている複数のスリット２３ｓが、特許請求の範囲にいう貫通孔に相当する。
【００４０】
（遮蔽手段３０）
図５〜図７に示すように、採光部材２３の内部には、遮蔽手段３０の遮蔽部材３１が設けられている。この遮蔽部材３１は板状の部材であり、その表面が採光部材２３の底壁２３ｂの内面と面接触した状態となるように配設されている。
この遮蔽部材３１は、その幅が採光部材２３の底壁２３ｂの幅とほぼ同じかつその長さが採光部材２３の底壁２３ｂの長さよりも短くなるように形成されている（図５参照）。このため、遮蔽部材３１は、採光部材２３の内部において、その底壁２３ｂに沿って長手方向に移動できるのである。
【００４１】
なお、遮蔽部材３１は、全体が平板状であってもよいし、断面略Ｕ字状となった部分（図６参照）を有していてもよい。つまり、遮蔽部材３１の側端縁に立設された案内片３１ｒを有していてもよい。案内片３１ｒを有している場合には、遮蔽部材３１を長手方向に移動させると、案内片３１ｒは採光部材２３の側壁２３ｃ，２３ｄの内面に沿って移動する。つまり、採光部材２３の移動を案内する部材として案内片３１ｒを機能させることができるので、移動の際に、遮蔽部材３１がその幅方向に傾いたりすることを防止できる。
【００４２】
この遮蔽部材３１には、複数のスリット３１ｓが設けられている。この遮蔽部材３１の複数のスリット３１ｓは、遮蔽部材３１の長手方向、つまり、開口２３ｈの上下方向に沿って並ぶように設けられている。
各スリット３１ｓは、採光部材２３の底壁２３ｂに形成されている複数のスリット２３ｓとほぼ同じ大きさに形成されている。具体的には、各スリット３１ｓは、採光部材２３の底壁２３ｂにおける複数のスリット２３ｓとほぼ同じ高さであるが幅は若干広くなるように形成されている。
そして、複数のスリット３１ｓは、そのピッチが、採光部材２３の底壁２３ｂにおける複数のスリット２３ｓとほぼ同じピッチとなるように形成されている。
【００４３】
このため、遮蔽部材３１を上下方向に移動させれば、具体的には、遮蔽部材３１を上方に移動させれば、複数のスリット３１ｓをそれぞれ複数のスリット２３ｓと重なるように配置することができる（図５（Ａ）、図６（Ａ）、図７（Ａ）参照）。すると、遮蔽部材３１の複数のスリット３１ｓと採光部材２３の複数のスリット２３ｓを通して、採光部材２３の内部と外部（つまりドア１の連通孔１ｈ内部）と連通させることができる。この状態となるように遮蔽部材３１を配置する位置が、特許請求の範囲にいう採光位置に相当する。
一方、遮蔽部材３１をその上下方向、具体的には採光位置から下方に移動させれば、遮蔽部材３１における複数のスリット３１ｓ間の部分（遮蔽部３１ｂ）を複数のスリット３１ｓと重なるように配置することができる（図５（Ｂ）、図６（Ｂ）、図７（Ｂ）参照）。すると、遮蔽部材３１によって、採光部材２３の内部と外部を遮断することができる。言い換えれば、上述した仮想貫通孔を遮蔽部材３１によって遮断することができる。この状態となるように遮蔽部材３１を配置する位置が、特許請求の範囲にいう遮蔽位置に相当する。
【００４４】
（遮蔽部材移動機構）
図５および図７に示すように、この遮蔽部材３１の側端には、突出片３１ｐが設けられている。この突出片３１ｐは、採光部材２３の側壁２３ｃに設けられた切り欠き２３ｇに挿入されており、その先端が採光部材２３の側壁２３ｃから突出している。なお、切り欠き２３ｇは、採光部材２３の上下方向に沿って伸びた長孔である。
【００４５】
この突出片３１ｐは、連結部材４０を介して、移動つまみ３７に連結されている。この移動つまみ３７は、プレート１１ａに設けられた案内溝１１ｇに挿入されている（図３（Ｂ）参照）。案内溝１１ｇも、採光部材２３の上下方向に沿って伸びた長孔であるが、その一端（図３（Ｂ）では上端）には、採光部材２３の上下方向と交差する係合溝１１ｋが形成されている（図３（Ｂ）参照）。この係合溝１１ｋは、採光部材２３の上下方向において、遮蔽部材３１を採光位置に配置したときに移動つまみ３７が配置される位置(高さ)に形成されている。
【００４６】
このため、移動つまみ３７を案内溝１１ｇに沿って移動させれば、連結部材４０と突出片３１ｐを介して、遮蔽部材３１を採光部材２３の上下方向に沿って移動させることができる。
【００４７】
すると、遮蔽部材３１を採光位置に配置すれば、室外からの光を室内に導入することができるので室外の光を採光できる。
しかも、移動つまみ３７を係合溝１１ｋに係合させれば、移動つまみ３７を係合溝１１ｋの位置で保持しておくことができる。言い換えれば、遮蔽部材３１を、採光位置に配置した状態で保持しておくことができるので、日中などでは、常時採光した状態とすることも可能である。
【００４８】
逆に、遮蔽部材３１を遮蔽位置に配置すれば、室外と室内との間で光が透過しないようにすることができるので、室外が明るくても室内を暗くすることができるし、室内から室外に光漏れすることを防ぐことができる。そして、採光部材２３や遮蔽部材３１を金属などのように簡単に破損できない素材で形成しておけば、光透過部材１２を破損しても、採光部材２３と遮蔽部材３１によって室外から室内に手などを入れることができないようにすることができる。したがって、採光ユニット１０を設けても、ドア１の防犯性能を維持することができる。
【００４９】
なお、防犯性能を高める上では、遮蔽部材３１を遮蔽位置に配置した状態でも、遮蔽部材３１の移動を固定する機能（ロック機能）を設けておくことが望ましい。
また、遮蔽部材３１を採光位置に安定した状態で配置しておくのであれば、移動つまみ３７が引っかかるような凹みを係合溝１１ｋに設けておくことが望ましい（図３（Ｂ）参照）。例えば、かかる凹みを係合溝１１ｋに設けておけば、採光状態のままドア１を開閉したりした場合のように採光ユニット１０に振動などが加わっても、遮蔽部材３１が採光位置から落ちることを防ぐことができる。
【００５０】
上述した、連結部材４０と移動つまみ３７が、特許請求の範囲にいう保持部材に相当し、連結部材４０と移動つまみ３７、突出片３１ｐ、案内溝１１ｇ、係合溝１１ｋ、切り欠き２３ｇが特許請求の範囲にいう遮蔽部材移動機構に相当する。
【００５１】
なお、採光部材２３の底壁２３ｂには、上述したようなスリット２３ｓよりも開口面積の大きな貫通孔を形成してもよいのはいうまでもない。この場合でも、遮蔽部材３１が採光部材２３の底壁２３ｂの内面または外面に沿って移動するようにすれば、遮蔽部材３１と採光部材２３の底壁２３ｂとが面接触した状態で開口を塞ぐことが可能となるので、遮蔽部材３１が遮蔽位置に配置された状態における遮光性および防犯性を高くすることができる。
【００５２】
しかし、上述したように、採光部材２３の底壁２３ｂに複数のスリット２３ｓを設け、かつ、遮蔽部材３１に複数のスリット３１ｓを設けた場合には、採光部材２３の底壁２３ｂに開口面積の大きな貫通孔を設けるよりも、遮蔽部材３１が遮蔽位置に配置された状態における遮光性および防犯性を高く維持しやすくなるという利点が得られる。
また、採光部材２３の底壁２３ｂに設けられる複数のスリット２３ｓの形状や、遮蔽部材３１に設けられる複数のスリット３１ｓの形状もとくに限定されない。遮蔽部材３１を採光位置に配置すると両スリット２３ｓ,３１ｓを通して採光でき、遮蔽部材３１を遮蔽位置に配置すると遮蔽部材３１によって遮光できる形状であればよい。例えば、両スリット２３ｓ,３１ｓの形状は、正方形や菱型、三角形、円形でもよく、遮蔽部材３１を遮蔽位置に配置するとスリット２３ｓを塞ぎ遮光できればよい。
【００５３】
（防火機能）
上述したような構造を有する採光ユニット１０を設けたドア１の場合、遮蔽部材３１を採光位置に配置すると、遮蔽部材３１の複数のスリット３１ｓと採光部材２３の複数のスリット２３ｓを通して、採光部材２３の内部と外部（つまりドア１の連通孔１ｈ内部）を連通させることができる。このため、火災などの際に遮蔽部材３１が採光位置に配置されていれば、光透過部材１２が破損したり脱落したりした際に、室内と室外が連通された状態となり、火炎などが室内に侵入する可能性がある。
【００５４】
そこで、採光ユニット１０において、突出片３１ｐと移動つまみ３７を連結する連結部材４０に温度ヒューズ機能を付与しておけば、採光ユニット１０の防火性を向上させることができる。
【００５５】
まず、遮蔽部材３１を採光位置に配置した状態では、遮蔽部材３１は遮蔽位置よりも上方に移動される。このため、遮蔽部材３１を採光位置に配置すると、遮蔽部材３１には重力によって下方に移動させるような力、言い換えれば、採光位置から遮蔽位置に向かって移動させるような力が加わった状態で保持される。
【００５６】
すると、突出片３１ｐと移動つまみ３７を連結する連結部材４０が温度ヒューズ機能を有していれば、所定の温度以上となると、突出片３１ｐと移動つまみ３７との連結が解放される。
【００５７】
このため、火災などによって連結部材４０が所定の温度以上となると、突出片３１ｐと移動つまみ３７の連結が解放され、遮蔽部材３１は、移動つまみ３７と無関係に移動できるようになる。
すると、移動つまみ３７を係合溝１１ｋに係合させた状態、つまり、遮蔽部材３１を採光位置に配置した状態にしていた場合、突出片３１ｐと移動つまみ３７の連結が解放されれば、遮蔽部材３１は重力によって落下し、遮蔽位置に向かって移動する。
そして、遮蔽部材３１が遮蔽位置に配置されれば、遮蔽部材３１と採光部材２３の底壁２３ｂとが面接触した状態で複数のスリット２３ｓを塞ぐことができる。つまり、ドア１の一対の表面板１ａ，１ｂ間を、採光部材２３と遮蔽部材３１とが密着した状態で塞ぐことができ、ドア１の防火性を向上させることができる。
【００５８】
（連結部材４０の構造）
つぎに、連結部材４０の構造について、詳細に説明する。
図７および図８に示すように、連結部材４０は、温度ヒューズ部材４１と、案内部材４２と、リンク部材４３と、から構成されている。
【００５９】
まず、温度ヒューズ部材４１は、一対のプレート４１ａ，４１ｂと、両プレート４１ａ，４１ｂを連結する連結材料とから構成されている。一対のプレート４１ａ，４１ｂのうち、プレート４１ａは突出片３１ｐに連結されており、プレート４１ｂは案内部材４２に連結されている。
そして、一対のプレート４１ａ，４１ｂは、温度ヒューズ機能を有する連結材料によって連結されている。連結材料の素材は、比較的低温（例えば７０℃程度）で温度ヒューズ機能を有する素材であればよく、とくに限定されない。例えば、低温はんだや形状記憶合金、低融点合金等を、連結材料の素材として採用することができる。
【００６０】
図７および図８に示すように、プレート４１ｂは、案内部材４２の一端（図７および図８では下端）に連結されている。この案内部材４２には、リンク部材４３が連結されている。
この案内部材４２は、採光部材２３の側壁２３ｃに移動可能に連結されている。具体的には、案内部材４２は、採光部材２３の側壁２３ｃに沿って採光部材２３の上下方向に沿って移動可能となるように、採光部材２３の側壁２３ｃに連結されている。例えば、案内部材４２に長孔を形成し、この長孔の軸方向が採光部材２３の上下方向に向くように配置する。そして、採光部材２３の側壁２３ｃに形成されたピンが長孔に挿入された状態で、案内部材４２を採光部材２３の側壁２３ｃに連結する。すると、案内部材４２を採光部材２３の側壁２３ｃに沿って採光部材２３の上下方向に沿って移動可能とすることができる。
【００６１】
図７および図８に示すように、案内部材４２には、採光部材２３の長手方向に沿って互いに間隔を空けた状態となるように、リンク部材４３の一対のブラケット４３ａ，４３ｂが設けられている。この一対のブラケット４３ａ，４３ｂの間には、回転軸４３ｃが軸方向には移動できないがその中心軸周りには回転できるように設けられている。そして、この回転軸４３ｃの側面には、移動つまみ３７の基端が取り付けられている。
【００６２】
以上のような構造となっているので、移動つまみ３７を係合溝１１ｋの位置まで移動させて、移動つまみ３７を係合溝１１ｋに向かって移動させれば、回転軸４３ｃが回転し、移動つまみ３７はその基端（回転軸４３ｃの中心軸）を支点として揺動する。すると、移動つまみ３７の先端部を案内溝１１ｇから係合溝１１ｋに入れることができ、移動つまみ３７を係合溝１１ｋに係合させることができ、遮蔽部材３１を採光位置に配置した状態で保持できる。
【００６３】
そして、一対のプレート４１ａ，４１ｂは、温度ヒューズ機能を有する連結材料によって連結されているので、所定の温度以上、つまり、連結材料が溶ける温度以上となると、連結材料が溶解し一対のプレート４１ａ，４１ｂの連結が解放される（図８参照）。言い換えれば、移動つまみ３７と突出片３１ｐとの連結が解放されるので、遮蔽部材３１は移動つまみ３７から独立して移動できるようになる。すると、遮蔽部材３１が採光位置に配置されていれば、採光位置は遮蔽位置よりも上方なので、重力によって遮蔽部材３１は採光位置から遮蔽位置に移動する。したがって、所定の温度以上となると、遮蔽部材３１を採光位置から遮蔽位置に移動させることができるのである。
【００６４】
なお、温度ヒューズ機能を有する部材で移動つまみ３７自体を形成しても、上記と同様の効果を得ることができる。
【００６５】
（光透過部材１２の固定方法）
なお、光透過部材１２を各プレート１１ａ，１１ｂの内側に取り付ける方法はとくに限定されない。例えば、図４および図６に示すように、各プレート１１ａ，１１ｂに対しネジなどによって固定可能な固定部材１２ｂを設け、この固定部材１２ｂと各プレート１１ａ，１１ｂとの間に光透過部材１２を挟む。その状態で固定部材１２ｂを各プレート１１ａ，１１ｂに固定すれば、光透過部材１２をプレート１１ａに固定することができる。また、接着剤などによって光透過部材１２をプレート１１ａに直接固定してもよい。
【００６６】
（一対のプレート１１ａ，１１ｂの固定方法）
また、一対のプレート１１ａ，１１ｂを連通孔１ｈの開口に固定する方法はとくに限定されないが、例えば、ネジなどによって一対のプレート１１ａ，１１ｂを一対の表面板１ａ，１ｂにそれぞれ固定する方法を採用することができる。また、図３に示すように、プレート１１ａを表面板１ａに固定し、プレート１１ｂは、ネジなどによってプレート１１ａに固定するようにしてもよい。
【００６７】
（連結構造について）
さらに、図３および図４では、複数の軸状の連結部材１１ｃ（例えばネジなど）によって一対のプレート１１ａ，１１ｂを連結する場合を説明した。このような複数の軸状の連結部材１１ｃによって一対のプレート１１ａ，１１ｂを連結する場合、採光ユニット１０の面精度を確保しやすくなるし、採光ユニット１０とドア１との密着性を高めることができるので、好ましい。
【００６８】
しかし、一対のプレート１１ａ，１１ｂを連結する構造は、上述した軸状の連結部材１１ｃに限定されない。例えば、ブロック状や板状の連結部材によって一対のプレート１１ａ，１１ｂを連結してもよい。ブロック状や板状の連結部材によって一対のプレート１１ａ，１１ｂを連結した場合には、一対のプレート１１ａ，１１ｂと連結部材によって囲まれた空間（貫通孔）を形成することが可能となる。
【００６９】
（シール性）
なお、一対のプレート１１ａ，１１ｂは、一対の表面板１ａ，１ｂと直接接触するように設けてもよいが、一対の表面板１ａ，１ｂとの間にパッキンなどのシール部材を挟んで取り付けてもよい。両者間にシール部材を設けると、両者間にドア１内部と外部とを連通する隙間ができないようにシールすることができる。すると、採光ユニット１０を設けたことに起因する断熱性や気密性の低下を抑えることができる。
とくに、表面板１ｂとプレート１１ｂとの間、つまり、屋外（室外）側に位置する表面板１ｂとプレート１１ｂの間には、シール部材として、断熱性や気密性だけでなく水密性を高めることができるものを使用することが望ましい。すると、採光ユニット１０を設けても、雨などがドア内部に侵入することを防止することができる。
【００７０】
（開口１１ｈについて）
なお、一対のプレート１１ａ，１１ｂの開口１１ｈの大きさは、必ずしも同じ大きさにしなくてもよい。例えば、室内側に配置されるプレート１１ａの開口１１ｈを、プレート１１ｂの開口１１ｈよりも大きくしてもよい。この場合、外部の開口を小さくしつつ、室内において光が照射される領域を広くできるという利点が得られる。もちろん、外側に配置されるプレート１１ｂの開口１１ｈを、プレート１１ａの開口１１ｈよりも大きくしてもよい。
【００７１】
（プレート１１、採光部材２３、遮蔽部材３１の素材について）
また、一対のプレート１１ａ，１１ｂの素材は、とくに限定されない。防火性を向上させるために、鉄やステンレス等の素材によって一対のプレート１１ａ，１１ｂを形成することが好ましい。
また、採光部材２３や遮蔽部材３１は、遮光性、防犯性を維持し、かつ、防火性を向上させるために、鉄やステンレス等の素材によって形成される。しかし、鉄やステンレス等と同等程度の遮光性や強度、防火性などを有する素材であれば使用することは可能である。
【００７２】
（遮蔽部材３１を移動させる方法）
上記例では、採光ユニット１０をドア１に取り付けた状態において、採光位置が遮蔽位置よりも上方に位置する場合を説明した。かかる状態であれば、採光位置に配置した遮蔽部材３１には、重力によって遮蔽位置に移動させるような力が常時加わることになる。つまり、重力が、特許請求の範囲にいう「採光位置から遮蔽位置に向かって遮蔽部材を移動させようとする力」に相当するものとなる。
【００７３】
なお、上記力を発生させる方法はとくに限定されない。例えば、収縮や変形して復元力を発生する部材（例えばバネなど、以下復元力発生部材という）を設ける。そして、遮蔽位置から採光位置に向かって遮蔽部材３１を移動させると復元力発生部材に対して収縮や変形させるような力が加わるように、この復元力発生部材を配置する。すると、遮蔽部材３１を採光位置に配置すれば、採光位置から遮蔽位置に移動させようとする力（つまり部材の復元力に起因した力）を遮蔽部材３１に加えることができる。
【００７４】
また、上述したように復元力発生部材を配置した場合には、遮蔽部材３１を遮蔽位置から採光位置に移動させる際には、遮蔽部材３１に対して部材の復元力が加わることとなる。つまり、復元力発生部材の復元力が遮蔽部材３１を移動させる抵抗となる。そこで、所定の温度となるまでは、復元力発生部材から遮蔽部材３１に復元力が加わらないように、保持部材を構成してもよい。すると、遮蔽部材３１の移動をスムースにでき、かつ、火災などの際は、遮蔽部材３１を採光位置から遮蔽位置に移動させて貫通孔を遮断することができる。例えば、復元力発生部材がバネの場合、バネの軸方向を遮蔽部材３１の移動方向を一致させた状態でバネを圧縮して保持しておく機能を保持部材に設ける。そして、温度ヒューズ機能を有する材料によってバネを圧縮して保持しておく部材を形成すれば、火災時には、バネの復元力によって遮蔽部材３１を採光位置から遮蔽位置に移動させることができる。
【００７５】
（火災検出）
上記例では、温度ヒューズ機能を有する部材によって火災を検出して、自動で遮蔽部材３１を採光位置から遮蔽位置に移動させる場合を説明した。つまり、温度変化によって形状などが変化する素材を使用して、火災を検出する場合を説明した。
しかし、温度などに基づいて火災を検出するセンサーを別途設けておき、このセンサーが火災を検出すると、移動つまみ３７と遮蔽部材３１との連結を解放するようにしてもよい。例えば、移動つまみ３７と遮蔽部材３１との間に電磁石などを設けておき、電磁石によって両者が連結された状態とする。この場合、センサーが火災を検出すると電磁石による両者の連結が解放されるようにしておけば、火災の際に遮蔽部材３１を採光位置から遮蔽位置に移動させることができる。
また、遮蔽部材３１を採光位置から遮蔽位置に移動させる契機となる火災を検出する方法はとくに限定されない。例えば、煙などを検出するセンサーを別途設けて、煙の有無や量、成分などに基づいて火災を検出するようにしてもよい。
【００７６】
（縦スリットの場合）
上記例では、採光部材２３および遮蔽部材３１に、水平なスリット２３ｓ，３１ｓが形成されている場合を説明した。しかし、採光部材２３および遮蔽部材３１に形成されるスリット２３ｓ，３１ｓは、上下方向に伸びたスリット（縦スリット）としてもよい。つまり、スリット２３ｓ，３１ｓの軸方向がドア１の上下方向と平行となり、かつ、ドア１の幅方向に並ぶように形成してもよい。
また、採光部材２３および遮蔽部材３１に形成されるスリット２３ｓ，３１ｓの形状もとくに限定されない。遮蔽部材３１を採光位置に配置すると両スリット２３ｓ,３１ｓを通して採光でき、遮蔽部材３１を遮蔽位置に配置すると遮蔽部材３１によって遮光できる形状であればよい。例えば、両スリット２３ｓ,３１ｓの形状は、正方形や菱型、三角形、円形でもよく、遮蔽部材３１を遮蔽位置に配置するとスリット２３ｓを塞ぎ遮光できればよい。
【００７７】
この場合、遮蔽位置に対して斜め上方が採光位置となるようにすれば、スリット２３ｓ，３１ｓが縦スリットであっても、火災の際には、重力で採光位置から遮蔽位置に遮蔽部材３１を移動させることが可能となる。
もちろん、遮蔽位置の側方が採光位置となるようにしてもよい。この場合でも、上述したような復元力発生部材を設けてもおけば、火災の際に、復元力発生部材の復元力によって、採光位置から遮蔽位置に遮蔽部材３１を移動させることができる。
【００７８】
（採光ユニット１０Ｂ）
上記例では、一対のプレート１１ａ，１１ｂによって表面カバー１１が形成されている場合を説明したが、上述した採光ユニット１０から、表面カバー１１のプレート１１ｂやプレート１１ｂに設けられている光透過部材１２を除いた構造としてもよい（この採光ユニットを採光ユニット１０Ｂとする（図７参照））。
この場合でも、ドア１の表面板１ａの開口に採光ユニット１０Ｂを設け、ドア１の表面板１ｂにおける開口にガラスなどの光透過性部材を気密および／または水密に取り付ければ、上述した採光ユニット１０と同等の性能をドア１に付与することができる。
【００７９】
なお、上記例では、採光ユニット１０を玄関ドアなどのドアに設ける場合を説明したが、採光ユニット１０を設ける場所はとくに限定されない。例えば、住居の壁や袖パネル等のパネルなどに、採光のために設けてもよい。
【００８０】
（ドア１に直接設ける場合）
上記例では、光透過部材１２を取り付けた表面カバー１１をドア１の連通孔１ｈに設置することによって、ドア１に光透過部材１２を設ける場合を説明したが、光透過部材１２は、ドア１に直接取り付けてもよい。
【００８１】
例えば、ドア１の連通孔１ｈの開口、つまり、一対の表面板１ａ，１ｂの開口１ｄに光透過部材１２を取り付けて、室内側の表面板１ａの内面に、光透過部材１２を覆うように、遮蔽部材３１を備えた採光部材２３を設ける。そして、表面板１ａに上述した案内溝１１ｇと同様の構造を有する案内溝を形成し、この案内溝に、連結部材４０を介して遮蔽部材３１に連結された移動つまみ３７を配置する。すると、移動つまみ３７を操作すれば、遮蔽部材３１を採光位置と遮蔽位置との間で移動させることができるし、移動つまみ３７を案内溝の係合溝に係合させた状態としても、火災などの際には、遮蔽部材３１を採光位置から遮蔽位置に移動させて、防火機能を発揮させることができる。
【００８２】
また、ドア１自体に以下のような構造を設けても、採光ユニット１０をドア１の連通孔１ｈに設けた場合と同様の効果を得ることができる。
【００８３】
（上下方向移動）
例えば、図９に示すように、表面板１ａの内面には、連通孔１ｈの開口１ｄを囲むように支持壁１ｗが設けられている。この支持壁１ｗには、その内面開口を塞ぐように光透過部材１２が取り付けられている。すると、表面板１ａの内部には、支持壁１ｗと光透過部材１２に囲まれ、連通孔１ｈの開口１ｄによって室内空間と連通された採光空間Ｌａが形成される。
【００８４】
なお、この構造の場合には、支持壁１ｗと光透過部材１２の両方、または、支持壁１ｗ単体が、特許請求の範囲における採光部材に相当する。また、支持壁１ｗおよび／または光透過部材１２を設けた場合には、ドア１において連通孔１ｈを形成する部分と、支持壁１ｗおよび／または光透過部材１２が特許請求の範囲における採光部に相当する。そして、支持壁１ｗと光透過部材１２の両方を設けない場合には、ドア１において連通孔１ｈを形成する部分が特許請求の範囲における採光部となる。
【００８５】
また、表面板１ｂの連通孔１ｈの開口１ｄにも表面板１ａと同様の構造を設けて、表面板１ｂの連通孔１ｈの開口１ｄを塞ぐように光透過部材１２を取り付けてもよい。しかし、表面板１ｂでは、連通孔１ｈの開口１ｄに、直接、開口１ｄを塞ぐように光透過部材１２を設けてもよい。
【００８６】
図９に示すように、支持壁１ｗにおける上壁の上方には、収容空間１ｓが形成されている。この収容空間１ｓは、上方開口ｓｈを介して採光空間Ｌａと連通されている。
【００８７】
そして、この収容空間１ｓには、上方開口ｓｈを通って採光空間Ｌａとの間を移動可能に遮蔽部材５１が配設されている。この遮蔽部材５１は、略板状の部材であり、その表面を表面板１ａの内面に面接触させた状態で移動可能に設けられている。つまり、遮蔽部材５１は、表面板１ａの表面、言い換えれば、ドア１の表面と平行に上下方向に移動できるように設けられている。
【００８８】
この遮蔽部材５１は、その上端および下端に、一対の移動規制部材５１ａ，５１ｂを備えている。この一対の移動規制部材５１ａ，５１ｂは、遮蔽部材５１の内方に立設されており、上方開口ｓｈより高くなるように形成されている。一対の移動規制部材５１ａ，５１ｂのうち、上方の移動規制部材５１ａ（収容空間１ｓ側の移動規制部材５１ａ、以下、閉限界移動規制部材５１ａという）は、支持壁１ｗにおける上壁に対して、収容空間１ｓ側（つまり上壁の上方）に位置するように設けられている。そして、下方の移動規制部材５１ｂ（以下、開限界移動規制部材５１ｂという）は、閉限界移動規制部材５１ａが上壁に接触するまで移動すると、下壁と面接触するように設けられている。しかも、一対の移動規制部材５１ａ，５１ｂは、いずれも上壁と接触すると、上方開口ｓｈを塞ぐことができる程度の大きさに形成されている。
【００８９】
また、遮蔽部材５１には、温度ヒューズ機構を有する連結部材（上述した連結部材４０に類似した機構の部材）を介して、移動つまみ５７が連結されている。この移動つまみ５７は、表面板１ａに設けられた案内溝１ｇに挿入されている。この案内溝１ｇは、上下方向に伸びるように設けられており、その上端に係合溝１ｋが形成されている。この係合溝１ｋは、案内溝１ｇと交差するように設けられており、案内溝１ｇの軸方向において、開限界移動規制部材５１ｂが上壁と接触したときに移動つまみ５７が配置される位置に設けられている（図９（Ａ）参照）。
【００９０】
以上の構造とすれば、移動つまみ５７を案内溝１ｇに沿って上下移動させれば、遮蔽部材５１を収容空間１ｓと採光空間Ｌａとの間で移動させることができる。そして、遮蔽部材５１を採光空間Ｌａに移動させて、移動つまみ５７を係合溝１ｋに係合させれば、遮蔽部材５１を収容空間１ｓ内に収容した状態に維持できる。この状態では、表面板１ｂの連通孔１ｈの開口１ｄに設けられた光透過部材１２と、支持壁１ｗの開口に設けられた光透過部材１２を通して、外部から室内に光を供給することができる。
【００９１】
一方、遮蔽部材５１が採光空間Ｌａに収容された状態では、遮蔽部材５１の自重によって、遮蔽部材５１を採光空間Ｌａに移動させようとする力が発生する。この状態で、火災などが発生すれば、連結部材の温度ヒューズ機能によって、移動つまみ５７から遮蔽部材５１が解放される。すると、遮蔽部材５１は、自重によって、閉限界移動規制部材５１ａが支持壁１ｗにおける上壁と接触するまで、採光空間Ｌａに向かって移動する。すると、遮蔽部材５１によって連通孔１ｈの開口１ｄが塞がれ、かつ、閉限界移動規制部材５１ａによって上方開口ｓｈが塞がれるので、ドア１に採光のための連通孔１ｈを設けても、防火性を向上させることができる。
【００９２】
しかも、遮蔽部材５１が表面板１ａの内面に沿って移動するので、遮蔽部材５１によって連通孔１ｈの開口１ｄが塞がれた状態において、遮蔽部材５１と表面板１ａの内面とが面接触した状態とすることができる。すると、遮蔽部材５１によって連通孔１ｈの開口１ｄが塞がれた状態において、連通孔１ｈを遮断できるので、ドア１の防火性を向上させることができる。
【００９３】
そして、上記構造の場合、遮蔽部材５１が収容空間１ｓに収容された状態が採光位置になるが、その状態では遮蔽部材５１はドア１の内部に収容される。すると、遮蔽部材５１を採光位置に配置した状態では、外部から遮蔽部材５１が見えない状態とすることができるので、遮蔽部材５１を設けてもドアの外観が悪くなることを防ぐことができる。
【００９４】
（側方移動）
また、上記例では、採光空間Ｌａの上方に収容空間１ｓを設けた場合を説明した。しかし、収容空間１ｓを設ける位置は、採光空間Ｌａの上方に限られず、採光空間Ｌａの側方に設けてもよい。例えば、図１０に示すように、支持壁１ｗにおける一方の側壁（図１０では右側の側壁）の側方に、収容空間１ｓを形成する。そして、側方開口ｓｈを通って、この収容空間１ｓと採光空間Ｌａとの間を移動可能となるように遮蔽部材５１を配設する。この場合も、遮蔽部材５１は、その表面を表面板１ａの内面に面接触させた状態で移動可能に設ける。
【００９５】
そして、上下方向に移動する遮蔽部材５１と異なり、遮蔽部材５１の幅方向の両端に、一対の移動規制部材５１ａ，５１ｂを設ける。具体的には、一対の移動規制部材５１ａ，５１ｂのうち、一方の移動規制部材５１ａ（収容空間１ｓ側（図１０では右側）の移動規制部材５１ａ、以下、閉限界移動規制部材５１ａという）を、支持壁１ｗにおける一方の側壁に対して、収容空間１ｓ側に設ける。また、他方の移動規制部材５１ｂ（以下、開限界移動規制部材５１ｂという）は、閉限界移動規制部材５１ａが一方の側壁に接触するまで移動すると、支持壁１ｗにおける一方の側壁と対向する側壁（図１０では左側の側壁）と面接触するように設ける（図１０（Ｄ）参照）。
【００９６】
さらに、表面板１ａには、遮蔽部材５１の移動方向と平行な方向に伸びた案内溝１ｇを設け、その一端に係合溝１ｋを形成する。係合溝１ｋは、案内溝１ｇの軸方向において、開限界移動規制部材５１ｂが一方の側壁と接触したときに移動つまみ５７が配置される位置に設ける。
【００９７】
さらに、収容空間１ｓには、支持壁１ｗにおける一方の側壁と対向するように、終端壁１ｔを設ける。そして、この終端壁１ｔと閉限界移動規制部材５１ａとの間に、閉限界移動規制部材５１ａ、つまり、遮蔽部材５１を採光空間Ｌａに向けて付勢するバネ５３を設ける。
【００９８】
以上の構造とすれば、移動つまみ５７を案内溝１ｇに沿って移動させれば、遮蔽部材５１を収容空間１ｓと採光空間Ｌａとの間で移動させることができる。そして、遮蔽部材５１を採光空間Ｌａに移動させて、移動つまみ５７を係合溝１ｋに係合させれば、遮蔽部材５１を収容空間１ｓ内に収容した状態に維持できる。この状態では、表面板１ｂの連通孔１ｈの開口１ｄに設けられた光透過部材１２と、支持壁１ｗの開口１ｄに設けられた光透過部材１２を通して、外部から室内に光を供給することができる。
【００９９】
一方、遮蔽部材５１を採光空間Ｌａに移動させれば、バネ５３が収縮して、バネ５３から遮蔽部材５１に対して遮蔽部材５１を採光空間Ｌａに移動させようとする力が加わる。この状態で、火災などが発生すれば、連結部材の温度ヒューズ機能によって、移動つまみ５７から遮蔽部材５１が開放される。すると、バネ５３の付勢力によって、遮蔽部材５１は、閉限界移動規制部材５１ａが支持壁１ｗにおける一方の側壁と接触するまで、採光空間Ｌａに向かって移動する。すると、遮蔽部材５１によって連通孔１ｈの開口１ｄが塞がれ、かつ、閉限界移動規制部材５１ａによって側方開口ｓｈが塞がれるので、防火性を向上させることができる。
【０１００】
なお、バネ５３の付勢力が常時遮蔽部材５１に加わっていると、遮蔽部材５１を採光空間Ｌａから収容空間１ｓに移動させる際に、バネ５３の付勢力が遮蔽部材５１の移動の抵抗となる。そこで、表面板１ａの内面に保持壁を設けて、通常の場合には、この保持壁と終端壁１ｔとの間にバネ５３を圧縮した状態で保持しておいてもよい。この場合、温度ヒューズ機能を有する材料によって表面板１ａの内面に連結する等の方法により、保持壁を終端壁１ｔとの間にバネ５３を圧縮した状態で一定の距離を保つように設置する。かかる構成とすると、通常の場合（火災ではない場合）には、バネ５３の付勢力が遮蔽部材５１に加わらないので、遮蔽部材５１を軽く動かすことができるし、所望の位置で遮蔽部材５１を止めておくことができるので、採光量の調整も可能となる。一方、火災などによって所定の温度以上になると、保持壁の連結が解放され、保持壁は収容空間１ｓから採光空間Ｌａに向かって移動されるので、遮蔽部材５１の位置に係わらず、保持壁によって遮蔽部材５１を採光空間Ｌａに移動させることができる。そして、この場合には、バネ５３の付勢力を自由に調整できるので、遮蔽部材５１が遮蔽位置に配置された状態において、遮蔽部材５１にある程度の付勢力が加わるようなバネ５３を使用すれば、火災時に、しっかりと連通孔１ｈの開口１ｄを遮蔽部材５１によって塞ぐことができる。
【０１０１】
（付勢力を発生する手段）
なお、上記例では、付勢力を発生する手段として、バネ５３を採用した場合を説明したが、付勢力を発生する手段は、遮蔽部材５１を採光空間Ｌａに配置させた状態から採光空間Ｌａに向けて付勢する力を発生させることができるものであればよく、とくに限定されない。例えば、形状記憶合金の復元力を利用したものなどを使用することができる。
【０１０２】
（その他の使用方法）
なお、上記例では、ドア１自体に上記の構造を設けて、採光と遮光の切り替えができる構造とした場合を説明した。しかし、上記の構造はドア１以外にも採用することができる。例えば、袖パネル等のパネルなどに採光のために設けることもできるし、住居の壁などに採光のために設けることもできる。
【産業上の利用可能性】
【０１０３】
本発明のドアは、高機能を要求されるマンションやホテル等の居住用建物の入口に設置されるドアに適している。
【符号の説明】
【０１０４】
１      ドア
１ｄ    開口
１ｇ    案内溝
１ｋ    係合溝
１ｈ    連通孔
１０    採光ユニット
１１    表面カバー
１１ｈ  開口
１１ａ  プレート
１１ｂ  プレート
１２    光透過部材
２１    採光部
２３    採光部材
２３ｓ  スリット
３０    遮蔽手段
３１    遮蔽部材
３１ｓ  スリット
４０    連結部材
５１    遮蔽部材
【図１】
2015113653.tif 000003
【図２】
2015113653.tif 000004
【図３】
2015113653.tif 000005
【図４】
2015113653.tif 000006
【図５】
2015113653.tif 000007
【図６】
2015113653.tif 000008
【図７】
2015113653.tif 000009
【図８】
2015113653.tif 000010
【図９】
2015113653.tif 000011
【図１０】
2015113653.tif 000012